(57)【要約】【課題】ピアス等の装飾具において、簡単な構成で抜け落ちを防止し且つ安全性を高める。【解決手段】装飾本体部２と、この装飾本体部２に接続され装着対象５に設けられた貫通孔５ａに挿入される挿入部３と、この挿入部３の貫通孔５ａを貫通した部分を保持する止め具４とを備える装飾具１において、挿入部３は、装飾本体部２に一端が接続される挿入芯部３ａと、この挿入芯部３ａの残る他端に形成されると共にこの挿入芯部３ａの長手方向Ａと直交する平面においてこの挿入芯部３ａ（径Ｌ１）よりも大きい径Ｌ２を有する係止部３ｂとを有し、止め具４は、弾性素材からなり、係止部３ｂ及びこの係止部３ｂから所定長さ分の挿入芯部３ａの形状に対応した挿入穴４ａを有する構成とする。【選択図】図１
2007209674.tif 000002
【特許請求の範囲】
【請求項１】
装飾本体部と、該装飾本体部に接続され装着対象に設けられた貫通孔に挿入される挿入部と、該挿入部の前記貫通孔を貫通した部分を保持する止め具とを備える装飾具において、
前記挿入部は、前記装飾本体部に一端が接続される挿入芯部と、該挿入芯部の残る他端に形成されると共に該挿入芯部の長手方向と直交する平面において該挿入芯部よりも大きい径を有する係止部とを有し、
前記止め具は、弾性素材からなり、前記係止部及び該係止部から所定長さ分の前記挿入芯部の形状に対応した挿入穴部を有することを特徴とする装飾具。
【請求項２】
前記係止部は、略球状又は略半球状を呈することを特徴とする請求項１に記載の装飾具。
【請求項３】
前記係止部は、略楕円球状又は略半楕円球状を呈することを特徴とする請求項１に記載の装飾具。
【請求項４】
前記弾性素材はシリコーンゴムであることを特徴とする請求項１から請求項３のいずれか１項に記載の装飾具。
【発明の詳細な説明】
【技術分野】
【０００１】
本発明は、人の耳たぶ等に装着される装飾具に関する。
【背景技術】
【０００２】
従来、ピアス等の装飾具は、装飾本体部に装飾芯部（例えば針）が接続されてなり、この装飾芯部の装着対象（例えば耳たぶ）を貫通した部分が止め具により保持されるというのが一般的である。ここで、通常の止め具による保持は、装飾芯部が装着対象から抜け落ちるのを防止するためになされる。
【０００３】
上記のような装飾具において、例えば特許文献１（実公平７−６８０９号公報）では、次のような装飾具が開示されている。その装飾具は、装飾芯部の一端部にその径より大きな径を有する装飾本体部を設け、他端に同じく装飾芯部の径より大きな径を有する係止部を設けてなり、止め具を省略した構成としている。
【特許文献１】実公平７−６８０９号公報
【発明の開示】
【発明が解決しようとする課題】
【０００４】
ところで、上記特許文献１に係る装飾具は、装飾芯部よりも大きい径を有する係止部により装着対象に装飾具を固定しているが、係止部も一度は装着対象を貫通したものであるため、耳たぶから抜け落ちてしまうことがあった。この抜け落ちを防止するために、係止部の径を装飾芯部に対してより大きくすると、装着対象を傷めるという問題や、ピアスが装着対象に安定しないという問題が生じてしまう。
【０００５】
また、係止部が突出した構成となっているため、装着対象の後方に位置する例えば人の首等を傷つけることもあった。それを解消するために、係止部を覆う部材を設けようとしても、係止部が挿入芯部よりも大きい径を有する構成であり困難である。
【０００６】
本発明の課題は、上記従来の実情に鑑み、簡単な構成で抜け落ちを防止し且つ安全性を高めた装飾具を提供することである。
【課題を解決するための手段】
【０００７】
上記課題を解決するために、本発明の装飾具は、装飾本体部と、この装飾本体部に接続され装着対象に設けられた貫通孔に挿入される挿入部と、この挿入部の上記貫通孔を貫通した部分を保持する止め具とを備える装飾具において、上記挿入部は、上記装飾本体部に一端が接続される挿入芯部と、この挿入芯部の残る他端に形成されると共にこの挿入芯部の長手方向と直交する平面においてこの挿入芯部よりも大きい径を有する係止部とを有し、上記止め具は、弾性素材からなり、上記係止部及びこの係止部から所定長さ分の上記挿入芯部の形状に対応した挿入穴部を有する構成とする。
【０００８】
上記構成によれば、係止部及びこの係止部から所定長さ分の挿入芯部の形状に対応した挿入穴部を有し弾性素材からなる止め具に係止部を固定することにより、止め具に係止部が挿入しやすく抜けにくい。したがって、簡単な構成で装飾具の装着対象からの抜け落ちが防止されると共に、係止部が装着対象の後方に位置する人の首、物等を傷つけるのが防止される。
【０００９】
好ましくは、上記係止部は、略球状又は略半球状を呈する構成とする。
好ましくは、上記係止部は、略楕円球状又は略半楕円球状を呈する構成とする。
好ましくは、上記弾性素材はシリコーンゴムである構成とする。
【発明の効果】
【００１０】
本発明の装飾具では、係止部及びこの係止部から所定長さ分の挿入芯部の形状に対応した挿入穴部を有し弾性素材からなる止め具に係止部を固定することにより、止め具に係止部が挿入しやすく抜けにくい。したがって、簡単な構成で装飾具の装着対象からの抜け落ちが防止されると共に、係止部が装着対象の後方に位置する人の首、物等を傷つけるのが防止される。よって、本発明の装飾具によれば、簡単な構成で抜け落ちを防止すると共に安全性を高めることができる。
【発明を実施するための最良の形態】
【００１１】
以下、本発明の実施の形態に係る装飾具について、図面を参照しながら説明する。
図１は、本発明の一実施の形態に係る装飾具を示す断面図である。
同図において、装飾具１は、装飾本体部２、挿入部３、止め具４からなり、装着対象５に穿設された貫通孔５ａに装着されている。装飾本体部２は、装着対象５の表側に位置する、即ち装飾具１のうち最も見えやすい部分に位置する装飾部分である。
【００１２】
挿入部３は、挿入芯部３ａ及び係止部３ｂとからなる。挿入芯部３ａは、一端が挿入本体部２に例えば一体成形、溶接等により接続されている。一方、挿入部３ａの残る他端には、挿入芯部２の長手方向Ａと直交する平面において挿入芯部２ａの径Ｌ１よりも大きい径Ｌ２を有する係止部３ｂが設けられている。ここでの係止部３ｂは、球状を呈する。
【００１３】
止め具４は、弾性素材（例えば、シリコーンゴム）からなり、係止部３ｂ及びこの係止部３ｂから所定長さ分の挿入芯部３ａの形状に対応した、即ち同一形状を呈する挿入穴部４ａが開口している。この挿入穴部４ａは、係止部３ｂが装着対象５の後方に位置する人の首等に接触しないように、止め具４を貫通しない程度に開口している。同図に示す状態では、既に挿入穴部４ａには挿入部３（係止部３ｂ及び一部の挿入芯部３ａ）が挿入され嵌合している。ここで、止め具４は弾性素材からなるため、挿入穴部４ａのうち挿入芯部３ａに対応した部分（径Ｌ１）に、より径が大きい係止部３ｂ（径Ｌ２）を挿入しても、挿入穴部４ａは一旦拡がり、再度元の形状に戻る。
【００１４】
なお、装着対象５が人の耳の場合には、同図に示す貫通孔５ａの径Ｌ３よりも大きい径のものを損傷なく通すことが可能であるため、貫通孔５ａの径Ｌ３よりも係止部３ｂの径Ｌ２をやや大きくするとよい。
【００１５】
また、係止部３ｂの径Ｌ２は、挿入芯部３ａの径Ｌ１が２ｍｍ以下の場合、挿入芯部３ａの径Ｌ１の１．０５〜２．００倍、好ましくは１．２〜１．８倍、より好ましくは１．５〜１．７倍とするとよい。ここで、径Ｌ１が２ｍｍを超える場合に上記の割合を適用すると、係止部３ｂの径Ｌ２と挿入芯部３ａの径Ｌ１との差が大きくなってしまい、挿入芯部３ａが装着対象５の貫通孔５ａ内で安定しないといった弊害が生じ得るため、径Ｌ１が２ｍｍを超える場合では上記の割合はより小さくした方がよい。
【００１６】
以上のように、本実施形態に係る装飾具１では、係止部３ｂ及びこの係止部３ｂから所定長さ分の挿入芯部３ａの形状に対応した挿入穴部４ａを有し弾性素材からなる止め具４に係止部３ｂを固定することにより、止め具４に係止部３が挿入しやすく抜けにくい構成となっている。したがって、簡単な構成で装飾具１の装着対象５からの抜け落ちが防止されると共に、係止部３ｂが装着対象５の後方に位置する人の首、物等を傷つけるのが防止される。よって、本実施形態に係る装飾具１によれば、簡単な構成で抜け落ちを防止すると共に安全性を高めることができる。
【００１７】
また、係止部３ｂが球状を呈する構成としたことで、係止部３ｂを止め具４の挿入穴部４ａに挿入しやすく、挿入穴部４ａを破損させにくい。したがって、日常手間をかけずに止め具４を用いることができる。
【００１８】
図２Ａは、上記実施の形態に係る挿入部及び止め具を示す断面図であり、図２Ｂ〜図２Ｄは、上記実施の形態の変形例に係る挿入部及び止め具を示す断面図である。
図２Ａに示す挿入部３及び止め具４は、図１に示すものと同一のものであり、挿入部３の係止部３ｂが球状を呈する。それに対し、図２Ｂに示す挿入部１３の係止部１３ｂは、半球状を呈する。この場合、係止部１３ｂをより止め具１４からの抜け落ちをより防止することができる。
【００１９】
また、図２Ｃに示す係止部２３の係止部２３ｂは、楕円球状を呈する。この係止部２３ｂは、挿入芯部２３ａの長手方向Ａと直交する平面に延びる楕円球状となっている。更に、図２Ｄに示す係止部３３ｃは、半楕円球状を呈する。この場合も、係止部３３ｂは、挿入芯部３３ａの長手方向Ａと直交する平面に延びる半楕円球状となっている。これら楕円球状又は半楕円球状の係止部２３ｃ，３３ｃによっても、止め具２４，３４からの抜け落ちがより防止される。
【図面の簡単な説明】
【００２０】
【図１】本発明の一実施の形態に係る装飾具を示す断面図である。
【図２Ａ】上記実施の形態に係る挿入部及び止め具を示す断面図である。
【図２Ｂ】上記実施の形態の第１変形例に係る挿入部及び止め具を示す断面図である。
【図２Ｃ】上記実施の形態の第２変形例に係る挿入部及び止め具を示す断面図である。
【図２Ｄ】上記実施の形態の第３変形例に係る挿入部及び止め具を示す断面図である。
【符号の説明】
【００２１】
１      装飾具
２      装飾本体部
３      挿入部
３ａ      挿入芯部
３ｂ      係止部
４      止め具
４ａ      挿入穴部
５      装着対象
５ａ      貫通孔
【図１】
2007209674.tif 000003
【図２Ａ】
2007209674.tif 000004
【図２Ｂ】
2007209674.tif 000005
【図２Ｃ】
2007209674.tif 000006
【図２Ｄ】
2007209674.tif 000007